(57)【要約】【課題】周囲温度や槽内の温度が高い場合でも、洗濯兼脱水槽の回転数を低くすることなく、また、部品の剛性を高くすることもなく、所定の脱水率や乾燥時間を確保しつつ、温度による水槽や洗濯兼脱水槽の変形、破損を防止できる洗濯乾燥機の運転制御方法を得る。【解決手段】外箱と、この外箱内に配設する水槽と、該水槽内に回転自在に配設され多数の脱水孔を穿設した洗濯兼脱水槽と、該洗濯兼脱水槽の上面側から洗濯兼脱水槽内に乾燥行程時に温風を供給する送風ファンおよびヒータとからなる温風供給手段とを具備する洗濯乾燥機において、洗濯行程および乾燥行程において、周囲温度または水槽内の温度を測定し、測定された温度値により洗濯兼脱水槽の最大回転数を変更して設定する。【選択図】        図１
2004222760.tif 000002
【特許請求の範囲】
【請求項１】
外箱と、この外箱内に配設する水槽と、該水槽内に回転自在に配設され多数の脱水孔を穿設した洗濯兼脱水槽と、該洗濯兼脱水槽の上面側から洗濯兼脱水槽内に乾燥行程時に温風を供給する送風ファンおよびヒータとからなる温風供給手段とを具備する洗濯乾燥機において、洗濯行程および乾燥行程において、周囲温度または水槽内の温度を測定し、測定された温度値により洗濯兼脱水槽の最大回転数を変更して設定することを特徴とする洗濯乾燥機の運転制御方法。
【請求項２】
前記洗濯兼脱水槽の最大回転数の設定は、測定された温度が高い場合は低い場合よりも低速にすることを特徴とする請求項１記載の洗濯乾燥機の運転制御方法。
【請求項３】
洗濯兼脱水槽が回転された前回の運転内容を記憶し、前回の行程が乾燥行程の場合は前回の行程が洗濯行程の場合よりも低い回転数に洗濯兼脱水槽の最大回転数を設定することを特徴とする請求項１または請求項２に記載の洗濯乾燥機の運転制御方法。
【請求項４】
脱水行程において、洗濯兼脱水槽の最大回転数が低く設定された場合は、高く設定された場合よりも脱水時間を長く設定することを特徴とする請求項１から請求項３のいずれかに記載の洗濯乾燥機の運転制御方法。
【発明の詳細な説明】
【０００１】
【発明の属する技術分野】
本発明は、洗濯物を洗濯兼脱水槽内で脱水後、乾燥させることのできる洗濯乾燥機の運転制御方法に関するものである。
【０００２】
【従来の技術】
脱水行程終了後の乾燥行程で、洗濯兼脱水槽内に加熱装置および送風機より発生する温風を送り、乾燥行程の途中で洗濯兼脱水槽や回転翼を回転させて洗濯物をほぐしながら洗濯物を乾かす洗濯乾燥機がある。
【０００３】
これは、例えば、外箱と、この外箱内に支持された外槽と、この外槽内に回転自在に配置され上面を開口するとともに周壁面に脱水孔を形成した洗濯脱水槽と、この洗濯脱水槽の内底部に配設された回転翼と、乾燥行程時に前記洗濯脱水槽内に温風を供給する温風供給手段とを備え、前記温風供給手段からの温風を前記洗濯脱水槽の上面開口から直接ないしは外槽の上部から前記脱水孔を経て供給するものである。
【０００４】
かかる構成の洗濯乾燥機では、回転翼の回転による洗い行程およびすすぎ行程、回転翼と洗濯兼脱水槽とを回転する脱水行程へと、洗濯運転が自動的に進行し、脱水行程終了後に乾燥工程に移行すると、この乾燥行程では、温風発生装置が作動して温風が発生し、この温風は洗濯脱水槽内に流れ込むと同時に洗濯兼脱水槽を回転させる。そして、洗濯脱水槽内で攪拌される水分を含んだ洗濯物と接触して水分を気化させる。洗濯物の水分を含んで湿度の高くなった温風は、洗濯脱水槽の上方へと案内され、その上面開口から排気孔を経て外箱外に排気される。
【０００５】
洗濯乾燥機は、温度が高いと水槽や洗濯兼脱水槽のバランサや底板など樹脂製の材料の部分の剛性が低下する。このため、特に洗濯兼脱水槽が高速回転する脱水行程や乾燥行程では、衣類の偏りによるアンバランスが発生した場合、温度が高いと小さなアンバランス量であっても水槽当たりが発生して破損のおそれがある。
【０００６】
かかる不都合を解消するため、従来は、脱水運転時や乾燥運転時の回転数を低く設定してアンバランスが発生しにくくなるようにしたり、また、洗濯兼脱水槽のバランサや底板など樹脂製の材料部分の肉厚を大きくしたり、ガラス入りの高剛性の材料をしようするなどして部品の剛性を高めるようにしている。
【０００７】
【発明が解決しようとする課題】
脱水運転時や乾燥運転時の回転数を低くする設定方法では、脱水率が低下したり、乾燥時間が長くなる不都合がある。また、部品の剛性を高める方法ではコスト高となる。
【０００８】
本発明の目的は前記従来例の不都合を解消し、周囲温度や槽内の温度が高い場合でも、洗濯兼脱水槽の回転数を低くすることなく、また、部品の剛性を高くすることもなく、所定の脱水率や乾燥時間を確保しつつ、温度による水槽や洗濯兼脱水槽の変形、破損を防止できる洗濯乾燥機の運転制御方法を提供することにある。
【０００９】
【課題を解決するための手段】
本発明は前記目的を達成するため、外箱と、この外箱内に配設する水槽と、該水槽内に回転自在に配設され多数の脱水孔を穿設した洗濯兼脱水槽と、該洗濯兼脱水槽の上面側から洗濯兼脱水槽内に乾燥行程時に温風を供給する送風ファンおよびヒータとからなる温風供給手段とを具備する洗濯乾燥機において、洗濯行程および乾燥行程において、周囲温度または水槽内の温度を測定し、測定された温度値により洗濯兼脱水槽の最大回転数を変更して設定する。
【００１０】
これにより、測定された周囲温度や水槽内の温度に対応して洗濯兼脱水槽の最大回転数が設定されるから、温度が高く水槽や洗濯兼脱水槽の剛性が低下していても水槽当たりなどを防止できる。
【００１１】
【発明の実施の形態】
以下、図面について本発明の実施の形態を詳細に説明する。図１は本発明の運転制御方法が実施される洗濯乾燥機の乾燥行程図、図２は同上洗濯乾燥機の全体説明図で、洗濯乾燥機の全体構成から説明すると、外箱１内に水槽２を搖動自在に配設し、該水槽２内に底部に回転翼３を配設するとともに周壁に多数の脱水孔５を穿設した洗濯兼脱水槽４を設けた。
【００１２】
図中６は洗濯兼脱水槽４の上部に取り付けたバランサ、７は洗濯兼脱水槽４や回転翼３を回転させるためのモータを示す。また、前記外箱１の上部の開口にフタ８を備えたトップパネル９を取り付ける。
【００１３】
かかる構成に加えて、洗濯兼脱水槽４内の衣類を乾燥させるための手段を設ける。温風の供給手段としては、外箱１の側部にフィルター１０を備えた吸気口１１を設け、該吸気口１１の下流側に位置させて外箱１内で水槽２との間にダクト１４を設け、該ダクト１４内に送風ファン１２および加熱手段としてのヒータ１３を順次配設した。図中１５は洗濯兼脱水槽４内に霧状の水（ミスト）を供給するミストノズルを示す。
【００１４】
温風の排出手段としては、水槽２の上部開口に内フタ１６を設け、該内フタ１６にフィルター１７備えた排出口１８を形成する。そして、該排出口１８の上方位置でトップパネル９に排気口１９を設ける。
【００１５】
そして、サーミスタなどを利用する吸気温度センサ２０を前記フィルター１０と送風ファン１２との間に設け、排気温度センサ２１を水槽２の上部に取り付けられる水槽カバー２ａの下面に取り付ける。
【００１６】
かかる洗濯乾燥機において、洗濯行程では、回転翼３の回転による洗い行程、すすぎ行程、回転翼３と洗濯兼脱水槽４とを高速回転させる脱水行程とが順次自動的に進行する。
【００１７】
洗濯行程の次に行う乾燥行程は、例えば、図１の行程図に示すように、異なる種類の乾燥動作パターンにより第１行程から第３行程に分かれ、例えば衣類の重量が４、５Ｋｇの場合、第１行程では、加熱していない空気を送風する送風エコ乾燥行程であり、洗濯兼脱水槽４を回転しながらヒータ１３には通電せず、送風ファン１２のみを動作させて洗濯兼脱水槽４内に送風し、さらに脱水する。次いで、同様にヒータ１３オフの状態で、回転翼３のみを回転して洗濯兼脱水槽４の壁面にへばりついた衣類を掻き落とす。
【００１８】
第２行程は、洗濯兼脱水槽４を回転させながら、ヒータ１３に通電して温められた温風を送風ファン１２で洗濯兼脱水槽４内に吹き出し、衣類に当てて乾燥させる槽回転乾燥を行う。
【００１９】
次の段階では１５０ｒｐｍの低速回転で１４分間の平板な回転を行い、衣類を乾燥させる。そして、最後に回転翼３のみを７往復回転させて、洗濯兼脱水槽４内で衣類を入れ替える。かかる動作を２回繰り返す。この間、洗濯兼脱水槽４内に供給された温風は、衣類と接触した後、排出口１８から外箱１内に排出され、さらに排気口１９から機体外に排出される。
【００２０】
続く第３行程では、回転翼３を回転させて攪拌乾燥を行う。温風を供給しながら回転翼３を往復回転させながら一定時間乾燥運転を行う。その後、衣類を小刻みに動かし、ほぐしてアンバランスを整え、最後に、３００ｒｐｍの高速回転で洗濯兼脱水槽４を１分間回転させ、衣類を洗濯兼脱水槽４の中央から広げて衣類が絡まないようにする。これを乾燥終了まで繰り返す。
【００２１】
そして、最後に仕上げとして回転翼３を５往復回転させて衣類のほぐし乾燥を行う。
【００２２】
本発明では、洗濯兼脱水槽４が回転される脱水行程と乾燥行程において、周囲温度と水槽内温度とを測定する。周囲温度の測定は、外箱１の外部などに温度センサを設置してもよいが、吸気温度を検出する吸気温度センサ２０で行うこともできる。また、水槽２内温度は水槽カバー２ａの下面に取り付けた排気温度センサ２１で検出する。
【００２３】
そして、図３のフローチャートに示すように例えば脱水行程において、測定された周囲温度や水槽内温度の測定値Ｔ０  が基準値Ｔよりも大きい場合、すなわち高温の場合は、洗濯兼脱水槽４の最大回転数を例えば８００ｒｐｍに、測定値Ｔ０  が基準値Ｔよりも小さい場合、すなわち低温の場合は、洗濯兼脱水槽４の最大回転数を例えば８８０ｒｐｍに設定し、高温の場合には低温の場合に比較して最大回転数を低速に設定する。
【００２４】
これにより、周囲温度や水槽内温度が高く、水槽２や洗濯兼脱水槽４の剛性が低下して破損しやすくなっている状態で、脱水行程時にアンバランスが発生しても洗濯兼脱水槽４の回転は低速であるから水槽２や洗濯兼脱水槽４の破損を防止できる。
【００２５】
また、図４のフローチャートに示すように、脱水行程において、測定された周囲温度や水槽内温度の測定値Ｔ０  が基準値Ｔよりも小さくても、すなわち低温の場合でも、前回の行程が乾燥行程であった場合は、より低い最大回転数７２０ｒｐｍに設定する。
【００２６】
これは、例えば前工程が乾燥行程の場合は、温風供給により洗濯兼脱水槽４に取り付けられているバランサ６の温度も加熱により上昇しているが、乾燥行程終了後、排気温度センサ２１で検出される温度は低下しても、質量の大きいバランサ６温度は低下しにくいため、排気温度センサ２１で検出される温度とバランサ６自体の温度が１対１で対応しない。
【００２７】
このため、測定温度が基準値Ｔよりも小さくても前回の行程が乾燥行程であれば、洗濯兼脱水槽４の最大回転数をさらに低く設定する。
【００２８】
そして、前記のように最大回転数が低く設定された場合は、脱水運転時間を長く設定する。これにより、低い回転数で脱水運転されても、脱水率が低下することを防げる。
【００２９】
前記した実施形態は脱水行程を例にとったが、乾燥行程でも同様にして周囲温度、水槽内温度を検出して、洗濯兼脱水槽４の最大回転数を制御する。
【００３０】
【発明の効果】
以上述べたように本発明の洗濯乾燥機の運転制御方法は、外箱と、この外箱内に配設する水槽と、該水槽内に回転自在に配設され多数の脱水孔を穿設した洗濯兼脱水槽と、該洗濯兼脱水槽の上面側から洗濯兼脱水槽内に乾燥行程時に温風を供給する送風ファンおよびヒータとからなる温風供給手段とを具備する洗濯乾燥機において、洗濯行程および乾燥行程において、周囲温度または水槽内の温度を測定し、測定された温度値により洗濯兼脱水槽の最大回転数を変更して設定する。
【００３１】
これにより、測定された周囲温度や水槽内の温度に対応して洗濯兼脱水槽の最大回転数が設定されるから、温度が高く水槽や洗濯兼脱水槽の剛性が低下していても水槽当たりなどを防止できる。
【図面の簡単な説明】
【図１】本発明の運転制御方法が実施される洗濯乾燥機の乾燥行程図である。
【図２】本発明の運転制御方法が実施される洗濯乾燥機の説明図である。
【図３】本発明の運転制御方法の実施形態を示す洗濯兼脱水槽の最大回転数設定動作の第１例のフローチャートである。
【図４】本発明の運転制御方法の実施形態を示す洗濯兼脱水槽の最大回転数設定動作の第２例のフローチャートである。
【符号の説明】
１…外箱            ２…水槽            ２ａ…水槽カバー
３…回転翼          ４…洗濯兼脱水槽    ５…脱水孔
６…バランサ        ７…モータ          ８…フタ
９…トップパネル    １０…フィルター    １１…吸気口
１２…送風ファン    １３…ヒータ        １４…ダクト
１５…ミストノズル  １６…内フタ        １７…フィルター
１８…排出口        １９…排気口        ２０…吸気温度センサ
２１…排気温度センサ
【図１】
2004222760.tif 000003
【図２】
2004222760.tif 000004
【図３】
2004222760.tif 000005
【図４】
2004222760.tif 000006